(57)【要約】【課題】本発明は、光収束性能に優れたランプカバー及びそれを備えた照明装置を提供する。【解決手段】本発明に係るランプカバーは、導光材料からなり、半円筒状を呈し、外表面及び外表面に対向する内表面を備え、半径方向の断面におけるランプカバーの厚さは、その中央部から両側へ向けて徐々に薄くなるよう構成されている。【選択図】図３
2013232411.tif 000002
【特許請求の範囲】
【請求項１】
導光材料からなるランプカバーであって、半円筒状を呈し、外表面及び外表面に対向する内表面を備え、半径方向の断面におけるランプカバーの厚さは、その中央部から両側へ向けて徐々に薄くなるよう構成されていることを特徴とするランプカバー。
【請求項２】
複数の発光素子及び複数の発光素子と熱接続する放熱装置を備える照明装置において、請求項１に記載のランプカバーを備え、複数の発光素子は、ランプカバーの内部に収容され、複数の発光素子から出射した光は、ランプカバーを介して外部に出射されるよう構成されていることを特徴とする照明装置。
【請求項３】
前記照明装置は、前記放熱装置と熱接続する支持板をさらに備え、複数の発光素子は、前記支持板に互いに離間して設置されることを特徴とする請求項２に記載の照明装置。
【請求項４】
前記ランプカバーの内表面には、ランプカバーの内部に向かって延伸する係合部が形成され、前記放熱装置の両側には、前記係合部を収容するための溝が形成され、前記係合部と前記溝との係合により、前記装置は、前記ランプカバーに固定されることを特徴とする請求項２又は３に記載の照明装置。
【発明の詳細な説明】
【技術分野】
【０００１】
本発明は、ランプカバーに関し、特に、発光ダイオードランプカバー及びそれを備えた照明装置に関するものである。
【背景技術】
【０００２】
発光ダイオード（ＬＥＤ）は、高輝度、低消費電力、長寿命である等の利点を有することから、従来の蛍光灯或いは白熱灯に代わるランプの光源として広く利用されている。
【０００３】
従来のＬＥＤチューブは、ＬＥＤライトバー及びＬＥＤライトバーを囲むランプカバーを備える。しかし、従来のＬＥＤチューブは、面光源であるため光収束性能が悪い。従って、高い光強度分布を必要とする場合、照明要求を満たすことができない。
【発明の概要】
【発明が解決しようとする課題】
【０００４】
前記課題を解決するために、本発明は、光収束性能に優れたランプカバー及びそれを備えた照明装置を提供する。
【課題を解決するための手段】
【０００５】
本発明に係るランプカバーは、導光材料からなり、半円筒状を呈し、外表面及び外表面に対向する内表面を備え、半径方向の断面におけるランプカバーの厚さは、その中央部から両側へ向けて徐々に薄くなるよう構成されている。
【０００６】
本発明に係る照明装置は、ランプカバーと、前記ランプカバーの内部に収容される複数の発光素子及び複数の発光素子と熱接続する放熱装置と、を備え、前記ランプカバーは、導光材料からなり、半円筒状を呈し、外表面及び外表面に対向する内表面を備え、半径方向の断面におけるランプカバーの厚さは、その中央部から両側へ向かって徐々に薄くなり、複数の発光素子から出射した光は、ランプカバーを介して外部に出射されるよう構成されている。
【発明の効果】
【０００７】
従来の技術と比べ、本発明に係るランプカバー及び照明装置において、半径方向の断面におけるランプカバーの厚さは、中央部から両側に向けて徐々に薄くなるため、ランプカバーを通過した光は、ランプカバーの中央部に向かって収束される。これにより、照明装置の光収束性能を向上させ、照明装置の光照射野の中央部の明るさを向上させることができる。
【図面の簡単な説明】
【０００８】
【図１】本発明の実施形態に係る照明装置の立体図である。
【図２】図１に示した照明装置の分解図である。
【図３】図１に示した照明装置のランプカバーの断面図である。
【発明を実施するための形態】
【０００９】
以下、図面を参照して、本発明の実施形態について説明する。
【００１０】
図１及び図２を参照すると、本発明の実施形態に係る照明装置１は、ＬＥＤチューブであり、ランプカバー１０と、ランプカバー１０に収容されるＬＥＤライトバー２０及び放熱装置３０を備える。
【００１１】
図３を合わせて参照すると、ランプカバー１０は、樹脂、ガラス、ポリメチルメタクリレート（ＰＭＭＡ）、石英、ポリカーボネート（ＰＣ）などの導光材料からなる。本実施形態において、ランプカバー１０は、透明度が９０％を超えるプラスチック材料によって射出成形される。ランプカバー１０は、略半円筒状を呈し、その半径方向の断面は、略Ｃ字状を呈し、ランプカバー１０の中には、収容空間１４が形成される。ランプカバー１０は、外表面１１及び外表面１１に対向する内表面１２を備え、半径方向の断面におけるランプカバー１０の厚さは、その中央部から両側に向かって徐々に薄くなる。本実施形態において、外表面１１の半径方向の断面は、半円形を呈し、内表面１２の半径方向の断面は、非球面を呈する。また、ランプカバー１０の内表面１２に、さらに適切なヘイズを有する拡散板を設置しても良い。該拡散板は、グレアの発生及びＬＥＤライトバー２０によって生成された粒状感を低減することができる。また、ランプカバー１０の長手方向の底部にある２つの端部には、放熱装置３０と係合するための係合部１３がそれぞれ形成されている。本実施形態において、２つの係合部１３は、板状を呈し、収容空間１４の内部に向かって対向して水平に延伸する。
【００１２】
ＬＥＤライトバー２０は、ランプカバー１０の内表面１２に対向して設置され且つランプカバー１０の収容空間１４の内部に収容される。また、ＬＥＤライトバー２０は、支持板２１及び支持板２１上に互いに離間して設置された複数の発光素子２２を備える。複数の発光素子２２は、熱伝導性接着剤によって支持板２１に付着され且つ電気的なワイヤによって支持板２１の回路に接続される。発光素子２２は、発光ダイオードパッケージ又は発光ダイオードチップであっても良い。発光素子２２から出射された光は、ランプカバー１０を介して照明装置１の外部に出射される。
【００１３】
放熱装置３０は、アルミニウムなどの高熱伝導性材料からなり、ＬＥＤライトバー２０の支持板２１に取り付けられる。放熱装置３０は、ベース３１及びベース３１の底面から下方へ突出するフィンユニット３２を備える。フィンユニット３２は、ベース３１の長手方向に沿って延伸し且つ互いに平行して設置された複数のフィン３２１を備える。ベース３１の長手方向における２つの側辺には、係止部３３がそれぞれ形成され、放熱装置３０は、この係止部３３とランプカバー１０の係合部１３との係合によって、ランプカバー１０に固定される。本実施形態において、係止部３３は、前記ベース３１の２つの側辺に形成され且つ前記ベース３１から離れる方向に向けて開口を有する溝であり、該溝は、ランプカバー１０の係合部１３を収容するために用いられる。ベース３１は、上表面３１１及び上表面３１１に対向する下表面３１２を備え、フィンユニット３２は、ベース３１の下表面３１２に設置される。複数のフィン３２１の高さは、ベース３１の中央からベース３１の両側へ向かって徐々に低くなる。これにより、空気の対流を強化することができる。
【００１４】
また、ＬＥＤライトバー２０の支持板２１と放熱装置３０のベース３１の上表面３１１との間に、高い熱伝導率を有するシリカゲル層を設置しても良い。該シリカゲル層は、ＬＥＤライトバー２０の支持板２１と放熱装置３０のベース３１とに緊密に連接され、これにより、ＬＥＤライトバー２０の発光素子２２によって発生した熱を、放熱装置３０に素早く伝達することができ、放熱効率を向上させることができる。
【００１５】
照明装置１は、ランプカバー１０及び放熱装置３０の両端にそれぞれ設置される２つのコネクタ４０をさらに備える。このコネクタ４０を介して、照明装置１を外部の電源供給部分に接続することができる。
【００１６】
照明装置１が動作する場合、発光素子２２から出射された光は、ランプカバー１０の収容空間１４を介して、ランプカバー１０の内表面１２に入射し、次に、ランプカバー１０によって屈折された後、ランプカバー１０から外部に出射される。半径方向の断面におけるランプカバー１０の厚さは、中央部から両側へ向けて徐々に薄くなるため、ランプカバー１０を通過した光は、ランプカバー１０の中央部に向かって収束される。これにより、照明装置１の光収束性能を向上させ、照明装置１の光照射野の中央部の明るさを向上させることができる。本発明に係る照明装置１は、発光素子２２を増加させなくとも、所定の区域の明るさを向上させることができる。
【００１７】
さらに、ランプカバー１０の外表面１１の半径方向の断面は、半楕円表面或いはその他の曲面であっても良い。放熱装置３０のベース３１は、曲面状であっても良い。また、複数の発光素子２２は、放熱装置３０のベース３１に直接的に設置することもできる。
【符号の説明】
【００１８】
１  照明装置
１０  ランプカバー
１１  外表面
１２  内表面
１３  係合部
１４  収容空間
２０  ＬＥＤライトバー
２１  支持板
２２  発光素子
３０  放熱装置
３１  ベース
３１１  上表面
３１２  下表面
３２  フィンユニット
３２１  フィン
３３  係止部
４０  コネクタ
【図１】
2013232411.tif 000003
【図２】
2013232411.tif 000004
【図３】
2013232411.tif 000005